(57)【特許請求の範囲】
【請求項１】
磁気テープに情報の記録及び／または再生を行なう磁気ヘッドを備えた回転ドラムと、
前記回転ドラムの上端より上方に取りつけられ、前記回転ドラムと離間し、前記回転ドラムの回転動作に伴って回転するファンを構成する羽と、
一端部分が前記ファンの周囲の少なくとも一部を囲み、他端部分が所定の方向に向かって形成されている一対の側板と、天板によって形成されたダクトと、
前記側板の他端部分に対応した位置に備えられ、前記ダクトを通ってきた空気を外部に排出することができる排出部と、
を備えていることを特徴とするテープドライブ装置。
【請求項２】
前記側板の他端部分は、前記テープドライブ装置の筐体背面に形成されている排出手段に向かって形成されていることを特徴とする請求項１に記載のテープドライブ装置。
【請求項３】
前記側板の一端部分は、回転ドラムの傾斜に対応した形状とされていることを特徴とする請求項１に記載のテープドライブ装置。
【請求項４】
前記ファンはアンプ基板を介して回転ドラムに取り付けられていることを特徴とする請求項１に記載のテープドライブ装置。
【請求項５】
前記側板の他端部分は前記テープドライブ装置の筐体内の発熱体に向かって形成されていることを特徴とする請求項１に記載のテープドライブ装置。
【請求項６】
前記排出部は、背面部に形成されていることを特徴とする請求項１に記載のテープドライブ装置。
【請求項７】
前記排出部は、さらに天板にも形成されていることを特徴とする請求項６に記載のテープドライブ装置。
【請求項８】
前記側板の一端部分における少なくとも一部の高さは、他端部分より低いことを特徴とする請求項１に記載のテープドライブ装置。
【請求項９】
前記回転ドラムの下部に設置された基板に、発熱体が形成されていることを特徴とする請求項１に記載のテープドライブ装置。
【請求項１０】
前記発熱体は、集積回路であることを特徴とする請求項９に記載のテープドライブ装置。
【発明の詳細な説明】
【０００１】
【発明の属する技術分野】
本発明は、筐体内に発生した熱を筐体の外部に排出する機構を有したテープドライブ装置に関するものである。
【０００２】
【従来の技術】
デジタルデータを磁気テープに記録／再生することのできるドライブ装置として、いわゆるテープストリーマドライブが知られている。このテープストリーマドライブは、ヘリカルスキャン方式が採用され、磁気ヘッドを有した回転ドラムに所定のラップ角で巻きつけた状態で、磁気テープを走行させさらに回転ドラムを所定の方向に回転させることにより、記録／再生などの動作が実現される。
このようなテープストリーマドライブは、メディアであるテープカセットのテープ長にもよるが、例えば数十〜数百ギガバイト程度の膨大な記録容量を有することが可能であり、このため、コンピュータ本体のハードディスク等のメディアに記録されたデータをバックアップするなどの用途に広く利用されている。また、データサイズの大きい画像データ等の保存に利用する場合にも好適とされている。
【０００３】
【発明が解決しようとする課題】
ところで、前記したように磁気テープによって大容量のデータを扱えるなどといった理由から、テープストリーマドライブとホストコンピュータ間におけるデータ転送速度の高速化が望まれている。しかし、これによって基板上において各種機能回路を形成する集積回路などの発熱が増加する傾向にある。また、テープストリーマドライブ自体の小型化が進んでおり、これによってドライブ自体の熱容量が小さくなってきている。
このようにしてテープストリーマドライブの筐体内に発生した熱が、例えば回転ドラムに達することにより、この回転ドラムに巻きつけられている磁気テープにも熱が伝わって温度が上昇することになる。したがって、磁気テープの磁気特性や耐久性が劣化して、磁気テープ本来の性能を得ることができなくなる状況が生じてくる。
【０００４】
これに伴い、回転ドラムの近傍に発熱体とされる前記集積回路を配置しない構成を採ったり、回転ドラムや磁気テープの走行部分が外気と関わるような配置構成を採り、筐体内に外気を採り入れて冷却効果を得ることが考えられている。
しかし、回転ドラムと発熱体の配置位置を近づけない構成では、上記したテープストリーマドライブの小型化に適した構成を採ることは困難とされる。また、回転ヘッドや磁気テープの走行部分が、外気との関わりが大きくなると、外気中を浮遊している粉塵などが筐体内に進入しやすくなり、回転ドラムや磁気テープが汚れる原因となる。
【０００５】
【課題を解決するための手段】
本発明はこのような問題点を解決するために、磁気テープに情報の記録及び／または再生を行なう磁気ヘッドを備えた回転ドラムと、前記回転ドラムの上方に取りつけられ、前記回転ドラムの回転動作に伴って回転するファンと、一端部分が前記ファンの周囲の少なくとも一部を囲み、他端部分が所定の方向に向かって形成されている一対の側板と、天板によって形成されたダクトと、前記側板の他端部分に対応した位置に備えられ、前記ダクトを通ってきた空気を外部に排出することができる排出部と、を備えてテープドライブ装置を構成する。
【０００６】
本発明によれば、テープドライブ装置の内部に生じた熱を、ファンとダクトによって外部に排出することができるようになる。したがって、回転ドラム付近の温度上昇を抑制することができるようになる。
【０００７】
【発明の実施の形態】
以下、本発明のテープドライブ装置の実施の形態を説明する。
図１、図２は本実施の形態とされるテープストリーマドライブの一構成例を示す外観斜視図であり、図１は前方から、図２は後方から示す図とされる。
テープストリーマドライブ１は、例えばコンピュータ装置（ホストコンピュータ）などに用いられる構成とされ、各種データのバックアップなどを行うようにされている。
その外観は、天板２、前面パネル３、筐体側板４ａ、４ｂ、及び背面部５などによって形成される。なお、以降これらの図に示す外観をテープストリーマドライブ１の筐体という。
このテープストリーマドライブ１の記録媒体とされるテープカセット（図示せず）は、前面パネル３に形成されているカセット挿通孔３ａからテープストリーマドライブ１内に装填される。そして、テープカセット内に収納されている磁気テープは、後で説明するようにテープカセットから引き出されて回転ヘッドに巻きつけられる。
また、回転ヘッドにはファンが備えられており、回転ヘッドの回転に伴って回転するようにされている。
【０００８】
天板２は、その後方に複数の放熱孔２ａ、２ａ・・・が形成され、テープストリーマドライブ１の内部に生じた熱を排出することができるようにされている。また、後で図８で説明するように内部側には前記ファンの周辺部分から例えば背面部５側に向かって破線で示されているようにダクトが形成されている。なおこれらの図にはダクトを構成している側板５１、５２を示している。
背面部５は、図２に示されているように、例えばホストコンピュータとのデータのやり取りを行う、例えばＳＣＳＩなどとされるデータ転送コネクタ５ａ、外部から電源が供給される電源コネクタ５ｂ、各種設定を行うジャンパ部５ｃが備えられ、その上方には放熱部５ｄとして、複数の放熱孔５ｅ、５ｅ・・・が形成されている。前記ダクトはこの放熱部５ｄに向かって形成される。
【０００９】
図３は図１に示すテープストリーマドライブ１の天板２及び前面パネル３を取り外して、筐体の内部を示す斜視図である。
図示されているように前面パネル３の後方に相当する位置には、カセットコンパートメント１０が形成される。カセットコンパートメント１０についての詳しい説明は省略するが、前面パネル３のカセット挿通孔３ａを介して挿入さされたテープカセットを誘導して、筐体内の所定の位置に着座させたり、または着座した状態のテープカセットをカセット挿通孔３ａを介して排出するように構成されている。
【００１０】
筐体内のほぼ中央部分には、シリンダ部２０が配置されている。このシリンダ部２０については図４、図５、図６にしたがって詳しく説明するが、例えば固定ドラム、回転ドラム、円形状のアンプ基板、ファン４０などによって構成され、メカ基板上に所定の傾斜を有して配置されている。したがって、シリンダ部２０下方部分に配置されているドラムモータを駆動して、回転ドラムが回転することによってアンプ基板、ファン４０も回転することになる。つまり、テープストリーマドライブ１が記録／再生動作などを行っているときは、ファンも回転していることになる。また、シリンダ部２０の周辺には、後で図７で説明するローディング機構が構成されている。
シリンダ部２０の後方には、基板部１１が配置される。また図示していないがシリンダ部２０やローディング機構が形成されているメカ基板の下方には、例えば記録／再生系の制御や前記ローディング機構の動作制御を行うようにされている各種機能回路が形成されている基板が配置されている。
【００１１】
天板２はねじＮ１によって筐体側板４ａ、４ｂに固定するようにされている、また内面側には、ねじＮ２によってテープブラケット６、６が取り付けられるとともに、その間には破線で示されているようにダクトが取りつけられる。
このダクトは、天板２が取り付けられたときに、シリンダ部２０の少なくともファンを格納することができるように構成されている。そして他端部分は天板２の後方側、すなわち筐体において背面部５側に向かって形成されている。
【００１２】
次にシリンダ部２０の構成例を説明する。なお、以下の説明では、本発明に関わる要部のみを説明することにする。
図４はシリンダ部２０をテープストリーマドライブ１の前方側面から示す平面図である。また、図５はシリンダ部のみを示す斜視図、図６は図５に示す状態を分解して示す斜視図である。
【００１３】
図４に示されているように、シリンダ部２０はメカ基板６０上に所定の角度を有して配置さる。
シリンダ部２０をメカ基板６０に対する配置部分として、固定ドラム２１が構成されている。この固定ドラム２１に形成されるガイド溝２２は、図７で説明するように磁気テープが巻きつけられた場合に磁気テープが円滑な走行を行うことができるようにするためのガイド手段とされている。
そして、その固定ドラム２１の上方には磁気ヘッド２４を有した回転ドラム２３が回転可能に配置されている。磁気ヘッド２４は回転ドラム２３の周囲に例えば９０度のラップ角となるように、記録ヘッド、再生ヘッドがそれぞれ２個づつとして、合計４個が形成される。図６に示すねじ２５、２５、２５、２５は例えば磁気ヘッド２４個々に対応しており、例えば磁気ヘッド２４の調整などを行うことができるようにされている。これにより、例えば記録／再生時などにおいては、回転ドラム２３が回転することによって、走行している磁気テープに対して各磁気ヘッドが所定のタイミングで走査するするようになる。
図５、図６に示すねじ２５、２５、２５、２５は例えば磁気ヘッド２４個々に対応しており、例えば磁気ヘッド２４の調整などを行うことができるようにされている。また、接続部２６はアンプ基板３０と所要の接続形態を採るための接続手段として構成されている。
【００１４】
回転ドラム２３の上方には、アンプ基板３０が取り付けられている。このアンプ基板３０には、前記したように記録ヘッドに対応した記録アンプや再生ヘッドに対応した再生アンプなどが形成されている基板である。切り欠３１、３１、３１、３１は、回転ヘッド２３のねじ２５に対応する位置に形成され、ねじ２５を臨むことができるようにされている。
このアンプ基板３０はねじＮ３、Ｎ３によってネジ孔３２、３２を介して回転ドラム２３のネジ孔２７、２７にネジ止めされる。なお、図４に破線で示すように、アンプ基板３０が固定された状態でネジＮ３、Ｎ３のネジ頭部はファン４０を固定する際の位置決めとして用いられる。また、このアンプ基板３０から導出される各種端子は接続部２６を以って回転ドラム２３に接続される。
【００１５】
ファン４０は、筐体内において特にシリンダ部２０付近に生じる熱を排出する手段として備えられ、本実施の形態では例えば８枚の羽４１、４１、４１・・・を有した構成とされる。これらの羽４１は、通常の回転方向に対して逆方向に傾斜を有して備えられ、ファン４０の外周側での空気の移動速度を増すように構成して排気量の増加を図っている。
またファン４０は、本実施の形態ではアンプ基板３０の上方に取り付けられるようにされている。つまり前記したようにアンプ基板３０を固定するネジＮ３、Ｎ３の頭部を位置決め手段として、ネジＮ４によってネジ孔４２、４２、ネジ孔３３、３３を介して回転ドラム２３のネジ孔２８、２８にネジ止めされる。
【００１６】
このように構成されているシリンダ部２０は図４、図５に示されているように回転ドラム２３、アンプ基板３０、ファン４０が一体的に形成されているので、回転ドラム２３が回転するとともにファン４０も回転することになる。つまり、例えば記録／再生を行っている場合など、回転ドラム２３が回転している状態では、常にファン４０による熱の排出動作が行われているこことになる。
【００１７】
なお、本実施の形態ではファン４０に例えば８枚の羽４１を備えた例を挙げているが、これは回転ドラム２３の回転数にも依存するものとされ、必要に応じて例えば６枚から１２枚程度が備えるものとされる。また、ファン４０は配置スペースなどの問題を考慮した上で、できるだけ直径の大きなものを使用するほど、大きな排熱効果を得ることができるようになる。さらに、本例ではファン４０がアンプ基板３０上に取りつけられるために、例えば基板上のはんだ付けなどを考慮して、羽の長さは長短２種類の構成とされている。しかし、アンプ基板３０を配置せず直接回転ドラム上２３にファン４０を取りつける場合は、羽４１の長さは均等であっても良い。
また、上記した各ファンは、アンプ基板３０の上に取り付ける構成を挙げて説明したが、アンプ基板が例えば回転ヘッド２３または固定ヘッド２１の内部に形成される場合は、回転ヘッド３０に直接取りつけられる構成となる。
【００１８】
ここで、ローディング機構について説明する。
図７は図４、図５、図５に示したシリンダ部２０及びシリンダ部２０周辺に構成されるローディング機構を説明する平面図である。
破線で示しているされているようにテープカセット７０の内部にはリールハブ１４２Ａ及びリールハブ１４２Ｂが設けられ、このリールハブ１４２Ａ及び１４２Ｂ間に磁気テープ７１が巻装される。そして、テープカセット７０はメカデッキ部に着座された状態で、リールハブ１４２Ａ，１４２Ｂがそれぞれ図示していないリールモータにより正方向及び逆方向に駆動されるように係合される。また、このように着座されたテープカセット７０からは、磁気テープ７１が引き出され、回転ドラム２３に所定角度巻装される状態となる。
即ち、着座されたテープカセット７０は後述するガードパネルが開かれた状態となっており、移動式のローディングピン１５５，１５６が図中Ｓ方向及びＸ方向に移動されることによって、磁気テープ７１がテープカセット７０の筐体から導出され、ガイドローラ１５１，１５２，１５３，１５４によってテープパスが規定された状態で回転ドラム２３に巻き付けられる。
【００１９】
また、ピンチローラ１５８はガイドローラ１５３，１５４間のテープパスで、磁気テープ７１に対して一定のテープテンションを与えるとともに、磁気テープ７１をキャプスタン１５７の外周面に圧接するようにされている。これによりキャプスタン１５７の定速回転が行われることで、磁気テープ７１が定速で走行される。
このようにして磁気テープ７１が走行されるとともに、回転ドラム２３が回転されることで、磁気テープ７１に対する記録再生動作が実行される。
【００２０】
また、早送り、巻き戻しなどの高速走行時には、ピンチローラ１５８は矢印Ｚ方向に所定の位置まで移動され、これによって磁気テープ７１はピンチローラ１５８とキャプスタン１５７から開放される。
【００２１】
テープ走行時には、テープのたるみが生じないようにバックテンションがかけられ、このバックテンションはリールハブ１４２Ａ，１４２Ｂの回転駆動制御により得られるものとなる。
ここで、ガイドローラ１５１，１５２の間にはテンションピックアップ２７が配されている。このテンションピックアップ２７はスピンドルリングで付勢されながら磁気テープ７１に圧接していることで、磁気テープ７１に与えられているテンションに応じて回動状態が変動する。従ってテンションピックアップ２７ではこの回動状況（回動位置）を例えばホール素子などで電気的に検出することで、磁気テープ７１に対してかけられているテンションに相当する検出信号を得ることができる。
【００２２】
図８は、天板２の内面側に取り付けられるダクトの一例を示す斜視図であり、図９は図８に示されているダクトを天板２に取り付けた状態を示す斜視図である。また、図１０は天板２にダクトを取り付けた状態を示す平面図である。なお、図９、図１０にテープブラケット６は示していない。
ダクト５０は、側壁５１、側壁５２が連結部５５によって連結されて構成されている。側壁５１、５２の端部５１ａ、５２ａは内側に向かって曲げられたており、その端部５１ａ、５１ｂに囲まれた部分がファン配置部５３とされる。つまりファン配置部５３はファン４０の周囲を囲んで格納することができるスペースを有して構成される。また、前記したようにシリンダ部２０は所定の傾斜を有して配置されているので、端部５１ａ、５２ａはこの傾斜に対応した高さで形成されている。すなわち、図８に示されているように端部５１ａの高さをＨ１、端部５２ａの高さをＨ２とした場合、
Ｈ１  ＜  Ｈ２
となるように形成される。なお、高さＨ１、Ｈ２については後で図示するが、少なくともファン４０を囲むことができる高さで形成されれば良い。
【００２３】
ダクト５０においてファン配置部５３の他端側は排出部５４とされ、ファン配置部５３から側壁５１、５２の間を流れてくる空気（熱気）を筐体の外部に排出部分とされる。すなわち、このダクト５０は２個の側壁５１、５２によって空気の導出路が形成されことになる。
排出部５４は筐体においては背面部５の放熱部５ｄに対応した位置に配されることになり、放熱部５ｄの排熱孔５ｅを介して空気を外部に放出することができる。また、図９、図１０からもわかるように、側板５１、５２間に位置する天板２の放熱孔２ａ、２ａからも熱放出が行われる。
【００２４】
なお、ファン配置部５３の前方に、間隙５３ａが形成されているので、ファン配置部５３に吸い込まれ空気は排出部５４に流れるとともに、前方にも導出して拡散することも可能になるようにされている。
つまり、ファン配置部５３に吸い込まれた空気は、そこに留まらず排出部５４または間隙５３ａからシリンダ部２０より遠方に流れるようにされる。
【００２５】
このダクト４０は天板２に対して、図９、図１０に示されているように、例えば連結部５５、及び側壁５１、５２と一体的に形成されている固定部５６、５７において、固定個所ＳＰとして示されている位置において例えばスポット溶接などによって固定される。
【００２６】
このように、ダクト４０は天板２に取り付けられるので、例えばメカデッキ部などに対して、新たな構成を追加することなく排出効果を向上することができるようになる。
【００２７】
以下、筐体内にファン４０、ダクト５０による空気（熱）が流れる経路を説明する。
図１１は、シリンダ部２０、ダクト５０を筐体正面側から示す平面図、また、図１２は、シリンダ部２０、ダクト５０を筐体側面側から示す平面図である。
図示されているように、シリンダ部２０はメカ基板６０上に所定の傾斜角度を有して配置されている。メカ基板６０の下方には、例えば信号処理系、駆動制御系などとされる所要の機能回路が形成されている基板１６０が配置されている。したがって、テープストリーマドライブ１が例えば再生／記録などの何らかの動作を行うことにより、基板１６０に構成される集積回路１６１、１６２などは熱を発することになる。集積回路１６１、１６２などから発生した熱は、矢印で示されているように上昇してシリンダ部２０付近に辿りつく。
【００２８】
この場合、回転ドラム２３は回転するようにされているので、これに伴いファン４０も回転する。したがって、集積回路１６１、１６２などから発生して上昇した熱は、回転しているファン４０の中央と外側における気圧差よって、ファン中央部に吸い込まれていることになる。すなわち、ダクト５０のファン配置部５３に吸い込まれる。ファン配置部５３に吸い込まれた熱はファン４０の回転とともに回転し、その際ファン４０の中心付近から外周に向かうにしたがって、遠心力を得る。これにより図１２に示されているように、ファン４０によってファン配置部５３に吸い込まれた熱は、ダクト５０の後方、すなわち排出部５４に向かって流れることになる。
【００２９】
図１３は図１２に示す状態を、筐体全体として上方から示す平面図であり、シリンダ部２０、ダクト５０付近においては天板２を切り取った状態で示している。
図１１、図１２に示したように、ファン４０によってダクト５０内を後方に流れた熱は、図１３に示されているように、筐体の背面部５の排熱孔５ｅ（図示せず）から外部に排出されるようになる。つまり、ダクト５０を備えることによって、ファン４０が矢印Ｆ方向に回転することによって、該ファン４０の中央部分に吸い込まれた熱が背面部５に向かって流れる。したがって、例えばシリンダ部２０付近の熱を効率良く筐体の外部に排出することができるようになる。
【００３０】
以下、ダクトの変形例を説明する。
図１４に示すダクト７０は側板７１、７２の端部に形成されるファン配置部７３がファン４０の周囲を周回する構成とされている。この場合も、シリンダ部２０の傾斜に対応して、ファン配置部７３の構成としては側板７１の先端側が高さＨ３、側板７２の先端側が高さＨ４とされ、
Ｈ３  ＜  Ｈ４
となるように形成される。この場合も、ファン配置部７３に吸い込まれた熱は排出部７４に対して流れ、放熱部５ｄを介して筐体外部に排出される。
【００３１】
また図１５に示すダクト８０は、図１４に示したダクト７０に対して間隙を形成したものとされる。すなわち側板８１、８２の端部に形成されるファン配置部８３の前方側に、間隙８３ａを形成した構成とされている。
したがって、ダクト８０では排出部８４を介した放熱及び間隙８３ａからの熱の拡散を行うことができる。
【００３２】
さらに、図１６（ａ）の斜視図、及び図１６（ｂ）の側面からの平面図に示すダクト９０は、ダクト７０とほぼ同等の形状にするとともに、例えばダクト９０が取りつけられる天板２側からも熱を吸い込むことができるようにした構成である。すなわち側板９１、９２の端部に形成されるファン配置部９３の上方（紙面では下方）とされる、天板２に沿った位置に間隙９６ａを形成した構成とされている。
これにより、ファン４０による熱の吸い込み効率を向上することができる。
【００３３】
また、上記したダクトは、熱を筐体外部に排出することを主な目的とした構成であるが、例えば集積回路などの発熱体を個々に冷却することを目的としてしても良い。この場合、図１７に示されているように、ダクト１００として、側板１０１、１０２を曲げて形成し、排出部１０４を冷却対象物とされる発熱体１０５に対応させる構成とする。これにより、ファン配置部１０３に吸い込まれた空気を発熱体１０５付近で排出することができるようになり、発熱体１０５に対する冷却効果を得ることができるようになる。
【００３４】
ところで、ファン４０の変形例としては、例えば図１８、図１９、図２０に示されているものが挙げられる。なお、これらの図に示されている各ファンは、上記したファン４０と同様に、例えばアンプ基板３０を固定しているネジＮ３を位置決めとして、ネジＮ４によってアンプ基板３０上に取りつけられる。つまり、図６に示した分解斜視図におけるファン４０と同等なものとされる。
【００３５】
図１８に示されているファン１１０は、例えば放射状に８枚の羽１１１、１１１、１１１・・・を形成した構成とされる。このファン１１０を用いた場合も、ファン１１０の中央部分と外側に生じる気圧差によって中央部分に吸い込まれた空気をダクト５０によって筐体外部に排出することができるようになる。
【００３６】
また図１９（ａ）の斜視図、図１９（ｂ）の断面図、及び図１９（ｃ）の側面図に示されているファン１２０はファン１１０の変形とされる。このファン１２０は、放射状に形成される羽１２１、１２１、１２１・・・を備えるとともに、その上方に板部１２２を形成する。さらに、底面部１２３として、ネジ孔１２４、１２４及び吸気孔１２５、１２５・・・が形成される。
前記したファン１１０は羽１１１が放射状に形成されているので、羽１１１の外周方向に気圧差が生じにくいので、空気に対する遠心力の付加が小さくなる。そこで遠心力を補うために、底面部１２３に吸気孔１２５を備えた構成である。これにより、空気をファン１２０の下部に集めて、吸気孔１２５に対して集中的に空気を集めることができ、吸い込んだ空気に遠心力を伝えて効率の良い排出を行うことができるようになる。
【００３７】
さらに、図２０（ａ）（ｂ）（ｃ）に示されているファン１３０は、ファン１２０の吸い込み原理を上下逆転した構成とされている。このファン１３０の構成としては、放射状に形成される羽１３１、１３１、１３１・・・を備えるとともに、その上方及び下方に板部１３２、１３３を形成する。さらに、上方の板部１３２には、吸気部１３４が形成される。なお、ネジ孔１３５、１３５は下方の板部１３３に形成されている。
このファン１３０の場合、空気を上方側に集めて吸気部１３４に対して集中的に空気を集めることができるようになる。そして、吸気部１３４から吸い込んだ空気に遠心力を伝えて効率の良い排出を行うことができるようになる
【００３８】
なお、上記したダクト７０、８０、９０とファン１１０、１２０、１３０は例えば図２１に示されているように組み合わせによってより大きな放熱効果を得ることができる。この図で、丸印で示されているように、例えばダクト７０とファン１１０、またダクト９０とファン１３０を組み合わせることで、より効率の良い放熱を行うことができるようになる。
【００３９】
【発明の効果】
以上、説明したように本発明のテープドライブ装置は、回転ドラムにファンを取り付けることによってファンを回転させ、このファンの回転によって集められた空気を、ダクトによって効率良く筐体の外部に排出することができるようにされている。
これにより、回転ドラム周辺の熱を効率良く排出することができるようになるので、磁気テープの温度上昇も抑制することができるようになる。すなわち本発明は、筐体内に生じる熱により、磁気テープの磁気特性や耐久性が損なわれることを抑制することができ、記録／再生時などにおける磁気テープ本来の性能を得ることができるようになる。
【００４０】
また、ダクトは、回転ドラムの傾斜に対応した形状とされているので、前記ファンの周囲を効率良く囲むことができ、これにより効率の良い排出を行うことができるようになる。
さらに、上記ファンはアンプ基板を介して回転ドラムに取り付けられているので、アンプ基板から発生する熱を効率良く排出することができる。
【００４１】
また、冷却対象物とされる発熱体の方向に向かって前記ダクトの他端部分を形成することによって、前記発熱体付近で排出することができるようになり、発熱体に対する冷却効果を得ることができるようになる。
【００４２】
さらに、上記本実施の形態ではテープストリーマドライブを例に挙げて説明したが、回転ドラムを用いたテープドライブ装置であれば本発明を適用することができる。
【図面の簡単な説明】
【図１】本発明の実施の形態のテープストリーマドライブの外観斜視図である。
【図２】実施の形態のテープストリーマドライブの外観斜視図である。
【図３】実施の形態のテープストリーマドライブの分解斜視図である。
【図４】シリンダ部の側面図である。
【図５】シリンダ部の斜視図である。
【図６】シリンダ部の分解斜視図である。
【図７】ローディング機構の説明図である。
【図８】ダクトの斜視図である。
【図９】ダクトを天板に取りつけた状態を示す斜視図である。
【図１０】ダクトを天板に取りつけた状態を示す平面図である。
【図１１】シリンダ部付近の空気の流れを説明する図である。
【図１２】シリンダ部付近の空気の流れを説明する図である。
【図１３】シリンダ部付近の空気の流れを説明する図である。
【図１４】ダクトの変形例を示す図である。
【図１５】ダクトの変形例を示す図である。
【図１６】ダクトの変形例を示す図である。
【図１７】ダクトの変形例を示す図である。
【図１８】ファンの変形例を説明する図である。
【図１９】ファンの変形例を説明する図である。
【図２０】ファンの変形例を説明する図である。
【図２１】ダクトとファンの組み合わせによって得られる効果を示す図である。
【符号の説明】
１  テープストリーマドライブ、２  天板、  ３  前面パネル、４ａ，４ｂ  側板、５  背面部、５ｄ  放熱部、５ｅ  放熱孔、２０  シリンダ部、２１  固定ドラム、２３  回転ドラム、２４  磁気ヘッド、３０  アンプ基板、４０，１１０，１２０，１３０  ファン、４１，１１１，１２１，１３１  羽、４２，１１２，１２４，１３５  ネジ孔、１２２，１３２，１３３  板部、１２５  吸気孔、１３４  吸気部、５０，７０，８０，９０  ダクト、５１，５２，７１，７１，８１，８２，９１，９２  側板、５１ａ，５１ｂ  端部、５３，７３，８３，９３，１０３  ファン配置部、５４，７４，８４，９４，１０４  排出部、５５，７５，８５，９５，連結部、５６，５７  固定部
【図１】
0004207290.tif 000002
【図２】
0004207290.tif 000003
【図３】
0004207290.tif 000004
【図４】
0004207290.tif 000005
【図５】
0004207290.tif 000006
【図６】
0004207290.tif 000007
【図７】
0004207290.tif 000008
【図８】
0004207290.tif 000009
【図９】
0004207290.tif 000010
【図１０】
0004207290.tif 000011
【図１１】
0004207290.tif 000012
【図１２】
0004207290.tif 000013
【図１３】
0004207290.tif 000014
【図１４】
0004207290.tif 000015
【図１５】
0004207290.tif 000016
【図１６】
0004207290.tif 000017
【図１７】
0004207290.tif 000018
【図１８】
0004207290.tif 000019
【図１９】
0004207290.tif 000020
【図２０】
0004207290.tif 000021
【図２１】
0004207290.tif 000022